(57)【要約】【課題】簡素な回路構成によって外来ノイズの発生を検出する。【解決手段】モニタリングモジュールは、中継端子と、ＦＧ端子と、中継端子に生じるサージ電圧の波高値を抑制する抑制素子と、サージ電圧によって発光する発光素子とを備えるサージ抑制部と、発光素子の光の受光状態に基づく第１信号を出力する受光素子と、第１信号を増幅した第２信号を出力する増幅回路を備える増幅部と、第２信号に基づいて導通状態又は非導通状態が選択されるスイッチ素子と、スイッチ素子に接続されスイッチ素子の状態に応じて充放電される時定数回路と、所定の閾値電位が供給される第１端子と時定数回路に接続された第２端子とを備え第１端子と第２端子との電位差に基づく第３信号を出力する比較部と、を備えるパルス時間変換部と、第３信号を記録し、記録した情報を外部機器に出力する制御部と、制御部が出力する情報を出力する出力端子とを備える。【選択図】図１
2020162239.tif 000002
【特許請求の範囲】
【請求項１】
入力電源と電源装置の入力端子とに接続される中継端子と、
前記電源装置の基準電位に接続されるＦＧ端子と、
前記中継端子に生じるサージ電圧の波高値を抑制する抑制素子と、前記サージ電圧によって発光する発光素子とを備えるサージ抑制部と、
前記発光素子の光の受光状態に基づく第１信号を出力する受光素子と、前記第１信号を増幅した第２信号を出力する増幅回路を備える増幅部と、
前記第２信号に基づいて導通状態又は非導通状態が選択されるスイッチ素子と、前記スイッチ素子に接続され前記スイッチ素子の状態に応じて充放電される時定数回路と、所定の閾値電位が供給される第１端子と前記時定数回路に接続された第２端子とを備え前記第１端子と前記第２端子との電位差に基づく第３信号を出力する比較部と、を備えるパルス時間変換部と、
前記第３信号を記録し、記録した情報を外部機器に出力する制御部と、
前記制御部が出力する前記情報を出力する出力端子と、
を備えるモニタリングモジュール。
【請求項２】
前記時定数回路は、容量素子を備え、
前記パルス時間変換部は、
前記サージ電圧が発生していないこと前記第２信号が示す場合には、前記時定数回路の前記容量素子を充電し、
前記サージ電圧が発生したことを前記第２信号が示す場合には、前記時定数回路の前記容量素子を放電する
請求項１に記載のモニタリングモジュール。
【請求項３】
前記サージ抑制部は、前記電源装置が備える電源端子の相互間、及び前記電源端子のそれぞれと前記ＦＧ端子との間に配置される
請求項１又は請求項２に記載のモニタリングモジュール。
【請求項４】
前記発光素子と、当該発光素子と対にして配置された受光素子との組に入射する外来光を遮光する遮光部
をさらに備える請求項１から請求項３のいずれか一項に記載のモニタリングモジュール。
【発明の詳細な説明】
【技術分野】
【０００１】
本発明は、モニタリングモジュールに関する。
【背景技術】
【０００２】
従来、電源ラインに侵入する外来ノイズを検出する技術が開示されている（例えば、特許文献１を参照）。
【先行技術文献】
【特許文献】
【０００３】
【特許文献１】特開２０１２−１０４５９８号公報
【発明の概要】
【発明が解決しようとする課題】
【０００４】
しかしながら、上記のような従来技術においては、外来ノイズの発生継続時間が、極めて短時間（例えば１００ｎｓ程度）である場合に、低性能なサンプリング装置では事象の発生を取りこぼしてしまう場合があった。このような従来技術によると、事象の発生を取りこぼさないようにするためには、サンプリング周期を極めて高速にせざるを得ず、回路構成が複雑になってしまう場合があった。
【０００５】
本発明は、このような事情を考慮してなされたもので、簡素な回路構成によって外来ノイズの発生を検出することができるモニタリングモジュールを提供することを課題とする。
【課題を解決するための手段】
【０００６】
本発明の一実施形態は、入力電源と電源装置の入力端子とに接続される中継端子と、前記電源装置の基準電位に接続されるＦＧ端子と、前記中継端子に生じるサージ電圧の波高値を抑制する抑制素子と、前記サージ電圧によって発光する発光素子とを備えるサージ抑制部と、前記発光素子の光の受光状態に基づく第１信号を出力する受光素子と、前記第１信号を増幅した第２信号を出力する増幅回路を備える増幅部と、前記第２信号に基づいて導通状態又は非導通状態が選択されるスイッチ素子と、前記スイッチ素子に接続され前記スイッチ素子の状態に応じて充放電される時定数回路と、所定の閾値電位が供給される第１端子と前記時定数回路に接続された第２端子とを備え前記第１端子と前記第２端子との電位差に基づく第３信号を出力する比較部と、を備えるパルス時間変換部と、前記第３信号を記録し、記録した情報を外部機器に出力する制御部と、前記制御部が出力する前記情報を出力する出力端子とを備えるモニタリングモジュールである。
【発明の効果】
【０００７】
この発明によれば、簡素な回路構成によって外来ノイズの発生を検出することができる。
【図面の簡単な説明】
【０００８】
【図１】本実施形態のシステムの一例を示す図である。
【図２】本実施形態の増幅部及びパルス時間変換部の回路構成の一例を示す図である。
【図３】本実施形態の信号波形の一例を示す図である。
【図４】本実施形態のスイッチ素子がオフ状態である場合の回路の状態の一例を示す図である。
【図５】本実施形態のスイッチ素子がオン状態である場合の回路の状態の一例を示す図である。
【発明を実施するための形態】
【０００９】
［第１の実施形態］
以下、図面を参照して、本発明の実施形態を説明する。
図１は、本実施形態のシステム１の一例を示す図である。システム１は、モニタ装置１０と、入力電源２０と、電源装置３０と、負荷装置４０とを備える。
入力電源２０とは、例えば、商用電源（単相１００Ｖ〜２４０Ｖ、５０Ｈｚ又は６０Ｈｚ）である。入力電源２０は、例えば、商用電源のコンセント（又はアウトレット）としての電源端子２１を備える。この一例において、電源端子２１には、第１電源端子２１Ａ（例えば、Ｌ極の端子）と、第２電源端子２１Ｂ（例えば、Ｎ極の端子）との２つの極性の端子がある。
電源装置３０は、例えば、スイッチング電源装置であって、供給される交流電力を直流電力に変換して出力する。電源装置３０は、入力側端子３１と、出力側端子３２とを備える。入力側端子３１には、第１入力側端子３１Ａ（例えば、Ｌ極の端子）と、第２入力側端子３１Ｂ（例えば、Ｎ極の端子）と、入力側ＦＧ端子３１Ｆ（例えば、電源装置３０のフレームグランド（ＦＧ）の端子）とがある。出力側端子３２には、第１出力側端子３２１（例えば、正極電位の出力端子）と、第２出力側端子３２２（例えば、負極電位の出力端子）とがある。
負荷装置４０とは、例えば、供給される直流電力によって動作する種々の装置である。負荷装置４０は、負荷装置端子４１を備える。負荷装置端子４１には、第１負荷装置端子４１１（例えば、正極電源端子）と、第２負荷装置端子４１２（例えば、負極電源端子）とがある。
【００１０】
なお、上述した各端子は、以下の説明において配線が着脱可能であるものとして説明するが、配線が端子にモールドされているものなど着脱不可能であるものであってもよい。
また、本実施形態ではモニタ装置１０の監視対象が単相の交流電源である場合について説明するが、これに限られない。例えば、モニタ装置１０の監視対象が多相（例えば、三相）の電源であってもよい。この場合、モニタ装置１０は、各相間及び各相とＦＧとの間をそれぞれ監視するように構成されていてもよい。
【００１１】
［モニタ装置１０の構成］
モニタ装置１０は、モニタリングモジュールとも称し、入力電源２０から電源装置３０に対して供給される電力の状況を監視する。モニタ装置１０は、中継端子１１と、ＦＧ端子１２と、遮光部１３と、サージ抑制部１３０と、増幅部１７０と、パルス時間変換部１８０と、制御部１９０と、計時部１９１と、表示部１９２と、通信部１９３と、出力端子１４とを備える。
【００１２】
中継端子１１は、入力電源２０の電源端子２１と、電源装置３０の入力側端子３１とを接続して、電力の供給を中継する端子である。中継端子１１には、第１中継端子１１Ａ１と、第２中継端子１１Ａ２と、第３中継端子１１Ｂ１と、第４中継端子１１Ｂ２とがある。
第１中継端子１１Ａ１と、第２中継端子１１Ａ２とは互いに電気的に接続されている。第１中継端子１１Ａ１には、入力電源２０の第１電源端子２１Ａに接続された配線（例えば、Ｌ極配線）が接続される。第２中継端子１１Ａ２には、電源装置３０の第１入力側端子３１Ａに接続された配線（例えば、Ｌ極配線）が接続される。これにより、入力電源２０の第１電源端子２１Ａと、電源装置３０の第１入力側端子３１Ａとが電気的に接続される。
これと同様に、第３中継端子１１Ｂ１と、第４中継端子１１Ｂ２とは互いに電気的に接続されている。第３中継端子１１Ｂ１には、入力電源２０の第２電源端子２１Ｂに接続された配線（例えば、Ｎ極配線）が接続される。第４中継端子１１Ｂ２には、電源装置３０の第２入力側端子３１Ｂに接続された配線（例えば、Ｎ極配線）が接続される。これにより、入力電源２０の第２電源端子２１Ｂと、電源装置３０の第２入力側端子３１Ｂとが電気的に接続される。
【００１３】
すなわち、中継端子１１は、入力電源２０と電源装置３０の入力側端子３１とに接続される。
【００１４】
ＦＧ端子１２は、電源装置３０の入力側ＦＧ端子３１Ｆに接続された配線（例えば、ＦＧ配線）が接続される。ここで、電源装置３０のフレームグランドは、電源装置３０の基準電位のうちの一つである。すなわち、ＦＧ端子１２は、電源装置３０の基準電位に接続される。
【００１５】
サージ抑制部１３０は、抑制素子１４０と、発光素子１５０とを備える。抑制素子１４０は、例えば、バリスタなどの非直線性抵抗素子を備えており、中継端子１１に生じる外来ノイズ（例えば、サージ電圧）の波高値を抑制する。発光素子１５０は、例えば、絶縁ガスが封入されたサージアレスタであって、抑制素子１４０に印加されたサージ電圧によってアーク放電が生じることにより発光する。
サージ抑制部１３０は、入力側端子３１の各端子間に配置される。本実施形態の一例では、サージ抑制部１３０は、第１入力側端子３１Ａと第２入力側端子３１Ｂとの間（Ｌ極−Ｎ極間）、第１入力側端子３１Ａと入力側ＦＧ端子３１Ｆとの間（Ｌ極−ＦＧ間）、第２入力側端子３１Ｂと入力側ＦＧ端子３１Ｆとの間（Ｎ極−ＦＧ間）に、それぞれ配置される。以下の説明において、Ｌ極−Ｎ極間に配置されるサージ抑制部１３０を、第１サージ抑制部１３ＡＢと、Ｌ極−ＦＧ間に配置されるサージ抑制部１３０を、第２サージ抑制部１３ＡＦと、Ｎ極−ＦＧ間に配置されるサージ抑制部１３０を、第３サージ抑制部１３ＢＦとも称する。これら各極を区別しない場合には、サージ抑制部１３０と総称する。
【００１６】
第１サージ抑制部１３ＡＢは、抑制素子１４０としての第１抑制素子１４１と、発光素子１５０としての第１発光素子１５１とを備える。第２サージ抑制部１３ＡＦは、抑制素子１４０としての第２抑制素子１４２と、発光素子１５０としての第２発光素子１５２とを備える。第３サージ抑制部１３ＢＦは、抑制素子１４０としての第３抑制素子１４３と、発光素子１５０としての第３発光素子１５３とを備える。
【００１７】
上述したように、サージ抑制部１３０は、Ｌ極−Ｎ極間、Ｌ極−ＦＧ間、及びＮ極−ＦＧ間に配置される。すなわち、サージ抑制部１３０は、電源装置３０が備える入力側端子３１の各電源端子（例えば、第１入力側端子３１Ａ及び第２入力側端子３１Ｂ）の間、及び入力側端子３１の各電源端子とＦＧ端子１２との間にそれぞれ配置される。ただし、サージ抑制部１３０は、必ずしもすべての相間に設ける必要はなく、抑制したい相間又は測定したい相間のみに配設してもよい。
【００１８】
なお、中継端子１１とサージ抑制部１３０との間の配線には、過電流保護用のヒューズ（例えば、第１ヒューズＦ１及び第２ヒューズＦ２）が配置されていてもよい。
【００１９】
増幅部１７０は、受光素子１６０を備える。受光素子１６０は、例えば、フォトダイオードを備えており、発光素子１５０が発する光の受光状態に基づく第１信号Ｓ１（例えば、光電流）を出力する。
受光素子１６０は、上述した発光素子１５０と一対に配置される。本実施形態の一例の場合、受光素子１６０には、第１発光素子１５１となる第１受光素子１６１と、第２発光素子１５２と対となる第２受光素子１６２と、第３発光素子１５３と対となる第３受光素子１６３とがある。
【００２０】
遮光部１３は、例えば、絶縁性素材で構成される暗箱であって、発光素子１５０と、当該発光素子１５０と対にして配置された受光素子１６０との組に入射する外来光を遮光する。本実施形態の一例の場合、遮光部１３には、第１発光素子１５１及び第１受光素子１６１の組を遮光する第１遮光部１３１と、第２発光素子１５２及び第２受光素子１６２の組を遮光する第２遮光部１３２と、第３発光素子１５３及び第３受光素子１６３の組を遮光する第３遮光部１３３とがある。遮光部１３を備えることにより、受光素子１６０は、発光素子１５０が発する光を受光する際の外乱光の影響を低減することができる。なお、この外乱光には、モニタ装置１０の外部から入射する光（例えば、外部光）と、モニタ装置１０の内部において発光する光（例えば、内部光）とが含まれる。また、モニタ装置１０の内部光には、発光素子１５０が発する光が含まれる。遮光部１３は、外部光だけでなく、他の組の発光素子１５０が発する内部光の影響をも低減することができる。例えば、第１遮光部１３１は、第２発光素子１５２が発する光、及び第３発光素子１５３が発する光についても遮光する。
【００２１】
[増幅部及びパルス時間変換部の回路構成]
図２は、本実施形態の増幅部１７０及びパルス時間変換部１８０の回路構成の一例を示す図である。同図においては、Ｌ極−Ｎ極間の回路構成を一例にして説明する。Ｌ極−ＦＧ間の回路構成及びＮ極−ＦＧ間の回路構成は、Ｌ極−Ｎ極間の回路構成と同様であるため、その説明を省略する。
【００２２】
第３中継端子１１Ｂ１及び第４中継端子１１Ｂ２と、第１抑制素子１４１の一端とが接続される。第１抑制素子１４１の他端と、第１発光素子１５１の一端とが接続される。第１発光素子１５１の他端と、第１中継端子１１Ａ１及び第２中継端子１１Ａ２とが接続される。
【００２３】
増幅部１７０は、上述した受光素子１６０としての第１受光素子１６１と、増幅回路１７１とを備える。
第１受光素子１６１は、第１発光素子１５１と一対にして配置され、第１発光素子１５１が発する光を受光して、受光した光の強度に応じた大きさの光電流ＰＣ１（第１信号Ｓ１）を出力する。
【００２４】
図３は、本実施形態の信号波形の一例を示す図である。第１受光素子１６１は、第１発光素子１５１が発する光を受光すると、光電流ＰＣ１（第１信号Ｓ１）を出力する。第１発光素子１５１が発する光の継続時間は、サージ電圧の継続時間に依存しており、一般的に非常に短時間（例えば、５０ｎｓ〜１００ｎｓ程度）である。
【００２５】
図２に戻り、増幅回路１７１は、例えば、演算増幅器を備えており、第１入力端子ＰＮ１（例えば、非反転入力端子）に第１受光素子１６１の出力端子が、第２入力端子ＰＩ１（例えば、反転入力端子）に基準電位が接続される。増幅回路１７１は、第１入力端子ＰＮ１に供給される第１信号Ｓ１を電圧増幅した光検出信号ＰＤ１（第２信号Ｓ２）を、出力端子ＰＯ１から出力する。
【００２６】
パルス時間変換部１８０は、スイッチ素子１８１と、時定数回路１８２と、比較部１８３とを備える。
スイッチ素子１８１は、例えば、エミッタ接地されたＮＰＮ型トランジスタを備えており、ベース端子に接続された第２信号Ｓ２に基づいて、コレクタ端子−エミッタ端子間の導通状態（オン状態）又は非導通状態（オフ状態）が選択される。
時定数回路１８２は、例えば、抵抗素子Ｒ１と容量素子Ｃ１とを備えており、スイッチ素子１８１に接続されスイッチ素子１８１の状態に応じて充放電される。より具体的には、抵抗素子Ｒ１は、一端が電源電位に、他端が容量素子Ｃ１の一端に接続される。容量素子Ｃ１は、他端が接地電位に接続される。時定数回路１８２の抵抗素子Ｒ１と容量素子Ｃ１との接続点ＰＴには、抵抗素子Ｒ２を介してスイッチ素子１８１のコレクタ端子が接続される。
【００２７】
図４は、本実施形態のスイッチ素子１８１がオフ状態である場合の回路の状態の一例を示す図である。スイッチ素子１８１がオフ状態である場合、電源配線から抵抗素子Ｒ１を介して充電電流Ｉｃが流れることにより、容量素子Ｃ１は、所定の時定数によって電源電位にまで充電される。
【００２８】
図５は、本実施形態のスイッチ素子１８１がオン状態である場合の回路の状態の一例を示す図である。スイッチ素子１８１がオン状態である場合、容量素子Ｃ１に充電されている電荷は、抵抗素子Ｒ２及びスイッチ素子１８１を介して接地配線に向けて引き抜かれる（すなわち、放電電流Ｉｄが流れる。）。
【００２９】
ここで、抵抗素子Ｒ２の抵抗値は、抵抗素子Ｒ１の抵抗値に比べて十分小さい値が選定されている。したがって、充電電流Ｉｃによる容量素子Ｃ１への充電時定数は、放電電流Ｉｄによる容量素子Ｃ１からの放電時定数に比べて十分に大きい。すなわち、容量素子Ｃ１の放電時間は、容量素子Ｃ１の充電時間に比べて十分に短い。
【００３０】
図２に戻り、比較部１８３は、例えば、演算増幅器を備えており、閾値電位Ｖｔを判定基準電位とするコンパレータとして機能する。具体的には、比較部１８３は、所定の閾値電位Ｖｔが供給される第１入力端子ＰＩ２と、時定数回路１８２に接続された第２入力端子ＰＮ２とを備え、第１入力端子ＰＩ２と第２入力端子ＰＮ２との電位差に基づく第３信号Ｓ３を出力端子ＰＯ２から出力する。比較部１８３の閾値電位Ｖｔには、接地電位Ｖ０と、電源電位Ｖｄとの間の値が設定されている。
【００３１】
増幅部１７０及びパルス時間変換部１８０は、測定対象の発光素子１５０の数に対応させた回路数にして配置される。
例えば、Ｌ極−Ｎ極間が測定対象である場合、測定対象の発光素子１５０は、第１発光素子１５１の１つである。この場合、増幅部１７０及びパルス時間変換部１８０は、第１発光素子１５１の数（つまり、１）に対応した、少なくとも１回路が配置される。また、Ｌ極−Ｎ極間、Ｌ極−ＦＧ間、Ｎ極−ＦＧ間のそれぞれが測定対象である場合、測定対象の発光素子１５０は、第１発光素子１５１〜第３発光素子１５３の３つである。この場合、増幅部１７０及びパルス時間変換部１８０は、発光素子１５０の数（つまり、３）に対応した、少なくとも３回路は、配置される。
上述では、Ｌ極−Ｎ極間を測定対象とする場合に配置される増幅部１７０及びパルス時間変換部１８０について説明した。Ｌ極−ＦＧ間及びＮ極−ＦＧ間を測定対象とする場合にも同様に配置されるが、その構成はＬ極−Ｎ極間を測定対象として配置される増幅部１７０及びパルス時間変換部１８０と同様であるため、その説明を省略する。
なお、入力電源２０及び電源装置３０の相数が、単相又は三相のいずれかの場合においても、増幅部１７０及びパルス時間変換部１８０は、電源の各相のうち、いずれかを測定対象として配置されればよく、すべての相間を測定対象として配置されなくてもよい。
【００３２】
再び図３を参照してパルス時間変換部１８０の動作について説明を続ける。
（タイミングｔ１）サージ電圧が発生していない状態においては、増幅回路１７１が出力する第１信号Ｓ１は、Ｌ（ロー；発光なし）である。第１信号Ｓ１がＬである場合、スイッチ素子１８１は、オフ状態となり、容量素子Ｃ１は、充電電流Ｉｃによって充電される。この結果、接続点ＰＴの電位は、電源電位Ｖｄになる。この場合、比較部１８３は、Ｈ（ハイ；発光なし）の第３信号Ｓ３を出力する。
【００３３】
（タイミングｔ２）サージ電圧が発生すると、第１発光素子１５１が発光する。第１発光素子１５１が発する光を第１受光素子１６１が受光すると、増幅回路１７１が出力する第１信号Ｓ１は、ＬからＨ（ハイ；発光あり）に変化する。第１信号Ｓ１がＬからＨに変化すると、スイッチ素子１８１がオン状態に変化し、放電電流Ｉｄが流れる。この結果、接続点ＰＴの電位は、接地電位Ｖ０にまで降下する。この場合、比較部１８３は、Ｌ（ロー；発光あり）の第３信号Ｓ３を出力する。
【００３４】
（タイミングｔ３）サージ電圧が収束し、第１発光素子１５１が発光しなくなると、増幅回路１７１が出力する第１信号Ｓ１は、ＨからＬに変化する。第１信号Ｓ１がＨからＬに変化すると、スイッチ素子１８１がオフ状態に変化し、充電電流Ｉｃが流れる。
【００３５】
（タイミングｔ３〜ｔ５）この結果、接続点ＰＴの電位は、抵抗素子Ｒ１と容量素子Ｃ１とに基づく時定数によって、電源電位Ｖｄにまで徐々に上昇する。この場合、比較部１８３は、接続点ＰＴの電位が閾値電位Ｖｔを超えるまでの間、Ｌの第３信号Ｓ３を出力し、接続点ＰＴの電位が閾値電位Ｖｔを超えると、Ｈの第３信号Ｓ３を出力する。
【００３６】
つまり、パルス時間変換部１８０は、サージ電圧が発生していないことを第２信号Ｓ２が示す場合には、時定数回路１８２の容量素子Ｃ１を充電し、サージ電圧が発生したことを第２信号Ｓ２が示す場合には、時定数回路１８２の容量素子Ｃ１を放電する。
【００３７】
ここで、抵抗素子Ｒ１と容量素子Ｃ１とに基づく充電時定数は、容量素子Ｃ１の充電による接続点ＰＴの電位が、接地電位Ｖ０から閾値電位Ｖｔにまで上昇する時間（同図に示すタイミングｔ３〜ｔ４の時間）が、所定の時間（例えば、１０ｍｓ）になるように設定されている。この所定の時間（例えば、１０ｍｓ）は、サージ電圧による発光時間（タイミングｔ２〜ｔ３の時間。例えば、５０ｎｓ〜１００ｎｓ）の１０万倍から２０万倍程度の長さである。つまり、パルス時間変換部１８０は、サージ電圧による発光パルス時間幅を１０万倍程度の倍率で拡大変換する。
なお、ここでいう５０ｎｓとは、電源評価標準のノイズシミュレーション試験の規格値の最小値でもある。
【００３８】
パルス時間変換部１８０は、上述のようにして生成した第３信号Ｓ３を制御部１９０に対して出力する。
【００３９】
図１に戻り、制御部１９０は、例えば、マイクロコンピュータを備えており、所定のサンプリング周期（例えば、８ｍｓ周期）によって第３信号Ｓ３を記録し、記録した情報を外部機器５０に出力する。具体的には、制御部１９０は、サンプリング周期ごとに、計時部１９１が出力する日時情報を取得し、取得した日時情報と、第３信号Ｓ３の取得結果とを対応付けて（いわゆる、タイムスタンプを付して）、不図示の記憶部にサージ電圧の発生履歴として記憶させる。
なお、制御部１９０は、第３信号Ｓ３がＨを示す場合には第３信号Ｓ３を記憶させず、第３信号Ｓ３がＬを示す場合には第３信号Ｓ３を記憶させる構成であってもよい。
【００４０】
制御部１９０は、記憶させた情報を、外部機器５０の要求に応じて（又は、定期的に）、通信部１９３を介して出力端子１４に出力する。
【００４１】
出力端子１４は、制御部１９０が出力する情報を外部機器５０に対して出力する。
なお、モニタ装置１０が表示部１９２を備えている場合には、制御部１９０は、記憶させた情報を表示部１９２に出力し、表示させてもよい。
【００４２】
外部機器５０は、例えば、パーソナルコンピュータ等の機器であり、取得した情報を提示する。
【００４３】
[実施形態のまとめ]
以上説明したように、本実施形態のモニタ装置１０は、増幅部１７０が高速光検出回路として機能し、パルス時間変換部１８０が光電流のパルス幅の拡大変換を行うパルス時間変換回路として機能する。このように構成されたモニタ装置１０によれば、制御部１９０による第３信号Ｓ３のサンプリング間隔が比較的長い場合（例えば、８ｍｓ周期）であったとしても、サージ電圧の発生を取りこぼすことなく記録することができる。
【００４４】
一般に、ある事象についてサンプリングする場合に、事象の発生継続時間に応じてサンプリング周期を十分に短くすることにより、取りこぼしなくサンプリングすることが可能である。しかしながら、本実施形態のモニタ装置１０の監視対象の事象（すなわち、サージ電圧）のように発生継続時間が極めて短時間（例えば、５０ｎｓ〜１００ｎｓ程度）である場合に、この事象を取りこぼしなくサンプリングするためには、極めて高性能なサンプリング装置が必要になる。
【００４５】
一方、本実施形態のモニタ装置１０によれば、比較的簡易な回路構成によって光電流のパルス幅の拡大変換を行うことができる。このため、本実施形態のモニタ装置１０によれば、制御部１９０のサンプリング性能を高める必要がなく、回路を簡易かつ安価に構成することができる。
【００４６】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【００４７】
なお、上記の実施形態における各装置が備える各部は、専用のハードウェアにより実現されるものであってもよく、また、メモリおよびマイクロプロセッサにより実現させるものであってもよい。
【００４８】
なお、モニタ装置１０は、制御部１９０がメモリおよびＣＰＵ（中央演算装置）により構成され、制御部１９０の機能を実現するためのプログラムをメモリにロードして実行することによりその機能を実現させるものであってもよい。
【符号の説明】
【００４９】
１…システム、１０…モニタ装置、１１…中継端子、１２…ＦＧ端子、１３…遮光部、１４…出力端子、２０…入力電源、３０…電源装置、４０…負荷装置、５０…外部機器、１３０…サージ抑制部、１４０…抑制素子、１５０…発光素子、１６０…受光素子、１７０…増幅部、１８０…パルス時間変換部、１９０…制御部
【図１】
2020162239.tif 000003
【図２】
2020162239.tif 000004
【図３】
2020162239.tif 000005
【図４】
2020162239.tif 000006
【図５】
2020162239.tif 000007